【手続補正書】
【提出日】平成24年3月2日(2012.3.2)
【手続補正１】
【補正対象書類名】明細書
【補正対象項目名】００１１
【補正方法】変更
【補正の内容】
【００１１】
即ち、複数のフレーム画像から構成される動画像を入力する手段と、
前記フレーム画像を動画像表示用の画像として表示するのか、静止画像表示用の画像として表示するのかを示す指示を取得する手段と、
前記指示が、前記フレーム画像を動画像表示用の画像として表示することを示す場合には、前記フレーム画像中の輪郭を暈かす処理を行うことで該フレーム画像を更新し、該更新したフレーム画像を動画像表示用の画像として出力する第１の出力手段と、
前記指示が、前記フレーム画像を静止画像表示用の画像として表示することを示す場合には、前記フレーム画像中の動き暈けを除去する処理を行うことで該フレーム画像を更新し、該更新したフレーム画像を静止画像表示用の画像として出力する第２の出力手段と
を備えることを特徴とする。
【手続補正２】
【補正対象書類名】特許請求の範囲
【補正対象項目名】全文
【補正方法】変更
【補正の内容】
【特許請求の範囲】
【請求項１】
複数のフレーム画像から構成される動画像を入力する手段と、
前記フレーム画像を動画像表示用の画像として表示するのか、静止画像表示用の画像として表示するのかを示す指示を取得する手段と、
前記指示が、前記フレーム画像を動画像表示用の画像として表示することを示す場合には、前記フレーム画像中の輪郭を暈かす処理を行うことで該フレーム画像を更新し、該更新したフレーム画像を動画像表示用の画像として出力する第１の出力手段と、
前記指示が、前記フレーム画像を静止画像表示用の画像として表示することを示す場合には、前記フレーム画像中の動き暈けを除去する処理を行うことで該フレーム画像を更新し、該更新したフレーム画像を静止画像表示用の画像として出力する第２の出力手段と
を備えることを特徴とする画像処理装置。
【請求項２】
前記第１の出力手段は、前記フレーム画像を構成する各画素に対してラプラシアンフィルタカーネルを用いることで該フレーム画像中の輪郭を検出し、該検出した輪郭に対してローパスフィルタカーネルを用いて該輪郭を暈かすことで、動画像表示用の画像を生成し、出力することを特徴とする請求項１に記載の画像処理装置。
【請求項３】
前記第２の出力手段は、間欠パターンと前記フレーム画像の動き情報とを用いて該フレーム画像中の動き暈けを除去することで、静止画像表示用の画像を生成し、出力することを特徴とする請求項１又は２に記載の画像処理装置。
【請求項４】
前記間欠パターン及び前記動き情報は、前記動画像のデータに付加されていることを特徴とする請求項３に記載の画像処理装置。
【請求項５】
前記間欠パターンは前記動画像のデータに付加されており、前記動き情報は、前記フレーム画像から前記第２の出力手段が求めることを特徴とする請求項３に記載の画像処理装置。
【請求項６】
複数のフレーム画像から構成される動画像を入力する入力手段と、
前記入力手段が入力したぞれぞれのフレーム画像について、該フレーム画像中の輪郭を暈かす暈かし手段と、
前記暈かし手段により得られるそれぞれのフレーム画像を符号化する第１の符号化手段と、
前記第１の符号化手段が符号化したそれぞれのフレーム画像を復号する復号手段と、
前記復号手段が復号したそれぞれのフレーム画像と、前記入力手段が入力したそれぞれのフレーム画像とで、対応するフレーム画像同士の差分画像を求める手段と、
前記差分画像を符号化する第２の符号化手段と、
前記第１の符号化手段による符号化結果と前記第２の符号化手段による符号化結果とを含むストリームを生成する手段と
を備える装置が生成した前記ストリームを取得する手段と、
前記ストリームに含まれている前記第１の符号化手段による符号化結果を復号する第１の復号手段と、
前記ストリームに含まれている前記第２の符号化手段よる符号化結果を復号する第２の復号手段と、
動き暈け除去画像を出力するのか、多重輪郭除去画像を出力するのかを示す指示を取得する手段と、
前記指示が、動き暈け除去画像を出力することを示す場合には、前記第１の復号手段による復号結果と前記第２の復号手段による復号結果とを合成し、合成した結果に対して動き暈けを除去する処理を行った結果を出力する手段と、
前記指示が、多重輪郭除去画像を出力することを示す場合には、前記第１の復号手段による復号結果を出力する手段と
を備えることを特徴とする画像処理装置。
【請求項７】
画像処理装置が行う画像処理方法であって、
前記画像処理装置の入力手段が、複数のフレーム画像から構成される動画像を入力する工程と、
前記画像処理装置の取得手段が、前記フレーム画像を動画像表示用の画像として表示するのか、静止画像表示用の画像として表示するのかを示す指示を取得する工程と、
前記画像処理装置の第１の出力手段が、前記指示が、前記フレーム画像を動画像表示用の画像として表示することを示す場合には、前記フレーム画像中の輪郭を暈かす処理を行うことで該フレーム画像を更新し、該更新したフレーム画像を動画像表示用の画像として出力する第１の出力工程と、
前記画像処理装置の第２の出力手段が、前記指示が、前記フレーム画像を静止画像表示用の画像として表示することを示す場合には、前記フレーム画像中の動き暈けを除去する処理を行うことで該フレーム画像を更新し、該更新したフレーム画像を静止画像表示用の画像として出力する第２の出力工程と
を備えることを特徴とする画像処理方法。
【請求項８】
画像処理装置が行う画像処理方法であって、
複数のフレーム画像から構成される動画像を入力する入力手段と、
前記入力手段が入力したぞれぞれのフレーム画像について、該フレーム画像中の輪郭を暈かす暈かし手段と、
前記暈かし手段により得られるそれぞれのフレーム画像を符号化する第１の符号化手段と、
前記第１の符号化手段が符号化したそれぞれのフレーム画像を復号する復号手段と、
前記復号手段が復号したそれぞれのフレーム画像と、前記入力手段が入力したそれぞれのフレーム画像とで、対応するフレーム画像同士の差分画像を求める手段と、
前記差分画像を符号化する第２の符号化手段と、
前記第１の符号化手段による符号化結果と前記第２の符号化手段による符号化結果とを含むストリームを生成する手段と
を備える装置が生成した前記ストリームを、前記画像処理装置の第１の取得手段が取得する工程と、
前記画像処理装置の第１の復号手段が、前記ストリームに含まれている前記第１の符号化手段による符号化結果を復号する第１の復号工程と、
前記画像処理装置の第２の復号手段が、前記ストリームに含まれている前記第２の符号化手段よる符号化結果を復号する第２の復号工程と、
前記画像処理装置の第２の取得手段が、動き暈け除去画像を出力するのか、多重輪郭除去画像を出力するのかを示す指示を取得する工程と、
前記画像処理装置の第１の出力手段が、前記指示が、動き暈け除去画像を出力することを示す場合には、前記第１の復号工程による復号結果と前記第２の復号工程による復号結果とを合成し、合成した結果に対して動き暈けを除去する処理を行った結果を出力する工程と、
前記画像処理装置の第２の出力手段が、前記指示が、多重輪郭除去画像を出力することを示す場合には、前記第１の復号工程による復号結果を出力する工程と
を備えることを特徴とする画像処理方法。
【請求項９】
コンピュータを、請求項１乃至６の何れか１項に記載の画像処理装置の各手段として機能させるためのコンピュータプログラム。
【請求項１０】
請求項９に記載のコンピュータプログラムを格納した、コンピュータ読み取り可能な記憶媒体。